(57)【要約】【課題】２つの部材を容易に嵌合させることができ、しかもその嵌合状態を強く保持することができる嵌合構造及び医療用トレイの嵌合構造を提供する。【解決手段】軸部１１１，１１２と、笠部１１３，１１４とが突設された支持台１１０と、大孔１２１，１２２と、大孔１２１，１２２に連通する小孔１２３，１２４とが形成された医療用トレイ１２０を嵌合させる構造で、小孔１２３，１２４の左右両側には、笠部の下端位置Ｔ１よりも頂点位置Ｔ２の高い係止部１２５，１２６がそれぞれ形成され、二つの係止部１２５，１２６の頂点間距離Ｗ３は笠部１１３，１１４の直径Ｄ４よりも大きくかつ二つの係止部１２５，１２６の端部間距離Ｗ４は笠部１１３，１１４の直径Ｄ４よりも小さく、嵌合位置では笠部の中心軸１１３ｂ，１１４ｂを二つの係止部１２５，１２６の頂点間を結ぶ直線Ｌよりも小孔１２３，１２４側にする。【選択図】図５
2010207275.tif 000002
【特許請求の範囲】
【請求項１】
上下に延びる軸部と、前記軸部の上部に連結され、前記軸部よりも径の大きい笠部が突設された第一部材と、前記軸部に加えて前記笠部を挿通可能な大孔と、前記大孔に連通し、前記軸部の径より幅広で前記笠部の径より幅狭の小孔が形成された第二部材を嵌合させる構造であって、
前記第二部材に形成された前記小孔を挟む前記第二部材の左右両側には、前記笠部の下端位置よりも頂点位置の高い略半球状の係止部がそれぞれ形成されるとともに、それら二つの係止部の頂点間距離は前記笠部の直径よりも大きくかつそれら二つの係止部の前記小孔側の端部間距離は前記笠部の直径よりも小さく、
前記嵌合位置では、前記笠部の中心軸を、前記二つの係止部の頂点間を結ぶ直線よりも前記小孔側にし、前記嵌合を解除するには、前記笠部の中心軸を、前記二つの係止部の頂点間を結ぶ直線よりも前記大孔側に移動させるもので、前記嵌合位置から前記解除位置あるいは前記解除位置から前記嵌合位置に、前記第一部材に対して前記第二部材を移動させるときには、前記第二部材に形成された係止部が、第一部材に突設された笠部の周面に弾接することを特徴とする嵌合構造。
【請求項２】
前記第二部材に形成された係止部に弾接する前記第一部材に突設された笠部の周面は曲面状であることを特徴とする請求項１に記載の嵌合構造。
【請求項３】
前記笠部は上側から下側に向けてテーパー状に拡径していることを特徴とする請求項１又は２に記載の嵌合構造。
【請求項４】
前記第二部材は、前記大孔と小孔が連通され係止部が形成されたものが所定間隔をおいて２つ設けられたトレイであり、かつ、前記第一部材は、前記第二部材を受ける支持台で、前記軸部とそれに連結された笠部が前記所定間隔をおいて２つ設けられていることを特徴とする請求項１乃至３のうちいずれか一つに記載の嵌合構造。
【請求項５】
前記請求項４に記載の嵌合構造を利用した医療用トレイの嵌合構造であって、前記第一部材は、腹膜透析装置に設けられたものであり、かつ、前記第二部材は、透折液を患者に送る注液用及び患者からの排液を排液バッグに送る排液用の複数のチューブから構成される医療用回路を収納する医療用トレイであることを特徴とする医療用トレイの嵌合構造。
【請求項６】
前記嵌合位置では、前記笠部は前記係止部を押圧した状態であることを特徴とする請求項１乃至５のうちいずれか一つに記載の嵌合構造及び医療用トレイの嵌合構造。
【請求項７】
前記嵌合位置では、前記笠部は前記係止部を押圧することなく係止部から離間した状態であることを特徴とする請求項１乃至５のうちいずれか一つに記載の嵌合構造及び医療用トレイの嵌合構造。
【発明の詳細な説明】
【技術分野】
【０００１】
本発明は、軸部と笠部とが突設された第一部材と、大孔と小孔とが連通して形成された第二部材との嵌合構造及びそれを利用した医療用トレイの嵌合構造に関するものである。
【背景技術】
【０００２】
第一部材と第二部材といった２つの部材を嵌合させる嵌合構造には多種多様なものが存在する。
例えば、壁に立設したネジ等に対して、壁掛機器に形成した孔を嵌合させるものが広く知られている（例えば、特許文献１参照）。
【先行技術文献】
【特許文献】
【０００３】
【特許文献１】特開２００３−１７９６７５号公報
【０００４】
特許文献１には、図１５及び図１６に示すように、軸部１１が立設し、軸部１１の端部に、軸部１１の径Ｄ１よりも径Ｄ２の大きい笠部１２が形成された壁１０と、笠部１２と軸部１１が挿通可能な大孔２１と、その大孔２１の上方に連通された小孔２２とが形成された壁掛機器２０が記載されている。小孔２２の幅Ｗ１は、軸部１１の径Ｄ１よりも広く笠部１２の径Ｄ２よりも狭くしている。
この壁掛機器２０を壁１０に掛ける際には、笠部１２を大孔２１に挿通した後、軸部１１を大孔２１に連通した小孔２２までスライド移動させて、軸部１１と小孔２２とを嵌合させる。このとき、軸部１１のスライド移動は、壁掛機器２０の自重を利用して容易に行う。そして、軸部１１と小孔２２との嵌合を解除するには、軸部１１を小孔２２から大孔２１へスライド移動させて行う。
【０００５】
このような嵌合構造は、壁掛機器２０だけではなく様々な分野、例えば医療分野では、腹膜透析装置と、その腹膜透析装置に装着する医療用トレイとを嵌合する場合に使用されている。
この医療用トレイは、透折液を患者に送る注液用及び患者からの排液を排液バッグに送る排液用の複数のチューブから構成される医療用回路を収納するものであり、透析時には腹膜透析装置に医療用トレイが上載された状態で、患者や医師等が医療用回路を医療用トレイから脱着して使用する。
【発明の概要】
【発明が解決しようとする課題】
【０００６】
特許文献１に記載の発明のように、壁１０に対して嵌め込まれた壁掛機器２０を自重によって保持し、しかも一度壁１０に壁掛機器２０を嵌め込んだ後にはほとんど人が触れないものの場合には、この嵌合状態が不意に解除される可能性は少ない。
【０００７】
これに対して医療用トレイは頻繁に人が触れるものであり、しかも医療用トレイとそれに収納される医療用回路との保持力が高められていることも多いので、患者や医師等が医療用トレイから医療用回路を脱着するときに、医療用回路とともに医療用トレイが引っ張られ、腹膜透析装置から医療用トレイが容易に外れる場合がある。このように、医療用トレイの保持状態が安定しないと、医療用トレイが腹膜透析装置から落下してしまい、医療用トレイに収納されたチューブが汚染され、透析実施時に患者に悪影響を及ぼす虞がある。
【０００８】
そこで、本発明の目的とするところは、２つの部材を容易に嵌合させることができ、しかもその嵌合状態を強く保持することができる嵌合構造及びそれを利用した医療用トレイの嵌合構造を提供することにある。
【課題を解決するための手段】
【０００９】
上記の目的を達成するために、本発明の請求項１に記載の嵌合構造は、上下に延びる軸部（１１１，１１２）と、前記軸部（１１１，１１２）の上部に連結され、前記軸部（１１１，１１２）よりも径（Ｄ４）の大きい笠部（１１３，１１４）が突設された第一部材（１１０）と、前記軸部（１１１，１１２）に加えて前記笠部（１１３，１１４）を挿通可能な大孔（１２１，１２２）と、前記大孔（１２１，１２２）に連通し、前記軸部（１１１，１１２）の径（Ｄ３）より幅広で前記笠部（１１３，１１４）の径（Ｄ４）より幅狭の小孔（１２３，１２４）が形成された第二部材（１２０）を嵌合させる構造であって、前記第二部材（１２０）に形成された前記小孔（１２３，１２４）を挟む前記第二部材（１２０）の左右両側には、前記笠部（１１３，１１４）の下端（１１３ａ，１１４ａ）位置よりも頂点（１２５ａ，１２６ａ）位置の高い略半球状の係止部（１２５，１２６）がそれぞれ形成されるとともに、それら二つの係止部（１２５，１２６）の頂点間距離（Ｗ３）は前記笠部（１１３，１１４）の直径（Ｄ４）よりも大きくかつそれら二つの係止部（１２５，１２６）の前記小孔（１２３，１２４）側の端部間距離（Ｗ４）は前記笠部（１１３，１１４）の直径（Ｄ４）よりも小さく、前記嵌合位置では、前記笠部（１１３，１１４）の中心軸（１１３ｂ，１１４ｂ）を、前記二つの係止部（１２５，１２６）の頂点（１２５ａ，１２６ａ）間を結ぶ直線（Ｌ）よりも前記小孔（１２３，１２４）側にし、前記嵌合を解除するには、前記笠部（１１３，１１４）の中心軸（１１３ｂ，１１４ｂ）を、前記二つの係止部（１２５，１２６）の頂点（１２５ａ，１２６ａ）間を結ぶ直線（Ｌ）よりも前記大孔（１２１，１２２）側に移動させるもので、前記嵌合位置から前記解除位置あるいは前記解除位置から前記嵌合位置に、前記第一部材（１１０）に対して前記第二部材（１２０）を移動させるときには、前記第二部材（１２０）に形成された係止部（１２５，１２６）が、第一部材（１１０）に突設された笠部（１１３，１１４）の周面（１１３ｃ，１１４ｃ）に弾接することを特徴とする。
【００１０】
また、請求項２に記載の嵌合構造は、前記第二部材（１２０）に形成された係止部（１２５，１２６）に弾接する前記第一部材（１１０）に突設された笠部（１１３，１１４）の周面（１１３ｃ，１１４ｃ）は曲面状であることを特徴とする。
【００１１】
また、請求項３に記載の嵌合構造は、前記笠部（１１３，１１４）は上側から下側に向けてテーパー状に拡径していることを特徴とする。
【００１２】
また、請求項４に記載の嵌合構造は、前記第二部材（１２０）は、前記大孔（１２１，１２２）と小孔（１２３，１２４）が連通され係止部（１２５，１２６）が形成されたものが所定間隔をおいて２つ設けられたトレイ（１２０）であり、かつ、前記第一部材（１１０）は、前記第二部材（１２０）を受ける支持台（１１０）で、前記軸部（１１１，１１２）とそれに連結された笠部（１１３，１１４）が前記所定間隔をおいて２つ設けられていることを特徴とする。
【００１３】
また、請求項５に記載の医療用トレイ（１２０）の嵌合構造は、前記第一部材（１１０）は、腹膜透析装置（１００）に設けられたものであり、かつ、前記第二部材（１２０）は、透折液を患者に送る注液用及び患者からの排液を排液バッグに送る排液用の複数のチューブから構成される医療用回路（１３０）を収納する医療用トレイ（１２０）であることを特徴とする。
【００１４】
また、請求項６に記載の嵌合構造及び医療用トレイ（１２０）の嵌合構造は、前記嵌合位置では、前記笠部（１１３，１１４）は前記係止部（１２５，１２６）を押圧した状態であることを特徴とする。
【００１５】
また、請求項７に記載の嵌合構造及び医療用トレイ（１２０）の嵌合構造は、前記嵌合位置では、前記笠部（１１３，１１４）は前記係止部（１２５，１２６）を押圧することなく係止部（１２５，１２６）から離間した状態であることを特徴とする。
【００１６】
ここで、上記括弧内の記号は、図面および後述する発明を実施するための最良の形態に掲載された対応要素または対応事項を示す。
【発明の効果】
【００１７】
本発明の請求項１に記載の嵌合構造によれば、第二部材に形成された小孔を挟む第二部材の左右両側には、笠部の下端位置よりも頂点位置の高い略半球状の係止部がそれぞれ形成されるとともに、それら二つの係止部の頂点間距離は笠部の直径よりも大きくかつそれら二つの係止部の小孔側の端部間距離は笠部の直径よりも小さく、嵌合位置では、笠部の中心軸を、二つの係止部の頂点間を結ぶ直線よりも小孔側にし、嵌合を解除するには、笠部の中心軸を、二つの係止部の頂点間を結ぶ直線よりも大孔側に移動させるので、嵌合位置から解除位置及び解除位置から嵌合位置にとなるように、第一部材に対して第二部材を移動させるときには、係止部が笠部の周面と必ず干渉する。
このように係止部が笠部の周面と干渉するが、係止部が笠部の周面と弾接するので、第一部材又は第二部材に所定の力を加えることで、係止部が笠部に弾接しながら乗り越えて、嵌合位置から解除位置あるいはその逆に解除位置から嵌合位置に移動することができる。
したがって、一旦嵌合位置となると、所定の力が第一部材又は第二部材に加わらない限り、不意に解除位置となってしまうことがない。このように、嵌合状態を強く保持することができるので、第二部材に人の手が頻繁に触れるような場合であっても第二部材が第一部材から容易に落下してしまうこともない。
【００１８】
また、請求項２に記載の嵌合構造によれば、請求項１に記載の発明の作用効果に加え、第二部材に形成された係止部に弾接する第一部材に突設された笠部の周面は曲面状であるので、笠部と係止部の曲面同士が弾接する。すなわち、笠部が係止部に接触して係止部を乗り越えようとする際に、係止部に引っ掛かる鋭利な部位が笠部には存在しないので、円滑に嵌合位置から解除位置あるいは解除位置から嵌合位置に移動することができる。
【００１９】
また、請求項３に記載の嵌合構造によれば、請求項１に記載の発明の作用効果に加え、笠部は上側から下側に向けてテーパー状に拡径しているので、第二部材の大孔に挿通するときに互いの位置が若干ずれていても、挿通し易い。つまり、笠部がテーパー状に拡径し、笠部に対して大孔を適正な位置に案内するので、大孔に笠部を挿通し易い。
【００２０】
また、請求項４に記載の嵌合構造によれば、請求項１乃至３に記載の発明の作用効果に加え、第二部材は、大孔と小孔が連通され係止部が形成されたものが所定間隔をおいて２つ設けられたトレイであり、かつ、第一部材は、第二部材を受ける支持台で、軸部とそれに連結された笠部が所定間隔をおいて２つ設けられているので、一旦支持台にトレイの二箇所を嵌合させると、トレイが支持台から落下し難い。
【００２１】
また、請求項５に記載の医療用トレイの嵌合構造によれば、請求項４に記載の発明の作用効果に加え、第一部材は、腹膜透析装置に設けられたものであり、かつ、第二部材は、透折液を患者に送る注液用及び患者からの排液を排液バッグに送る排液用の複数のチューブから構成される医療用回路を収納する医療用トレイであるので、一旦腹膜透析装置に医療用トレイを嵌合させると、患者等が医療用トレイを手で支えずに医療用トレイから医療用回路を外す場合に、医療用回路とともに医療用トレイが引っ張られたとしても、医療用トレイが腹膜透析装置から外れ難い。よって、医療用トレイが腹膜透析装置から落下し難いので、安全かつ衛生的である。
また、腹膜透析装置に医療用トレイを固定できるので、患者が医療用トレイを把持することなく、両手で医療用トレイに収納されたチューブの接続操作を行うことができる。
【００２２】
また、請求項６に記載の嵌合構造及び医療用トレイの嵌合構造によれば、請求項１乃至５に記載の発明の作用効果に加え、嵌合位置では、笠部は係止部を押圧した状態であるので、嵌合位置において第一部材と第二部材ががたつかず、強く嵌合状態を保持できる。
【００２３】
また、請求項７に記載の嵌合構造及び医療用トレイの嵌合構造によれば、請求項１乃至５に記載の発明の作用効果に加え、嵌合位置では、笠部は係止部を押圧することなく係止部から離間した状態であるので、解除位置から嵌合位置に移動させるときあるいは嵌合位置から解除位置に移動させるときに、クリック感が生じる。よって、通常の視覚的のみならず、触覚的にも嵌合位置となったことを確認することができる。
【００２４】
なお、本発明の嵌合構造及び医療用トレイの嵌合構造のように、第二部材に形成された小孔を挟む第二部材の左右両側に略半球状の係止部がそれぞれ形成され、嵌合位置から解除位置あるいは解除位置から嵌合位置に、第一部材に対して第二部材を移動させるときに、係止部が笠部に弾接する点は、上述した特許文献１には全く記載されていない。
【図面の簡単な説明】
【００２５】
【図１】図５に示す医療用トレイの嵌合構造における腹膜透析装置を示す平面図である。
【図２】図１に示す腹膜透析装置を示す正面図である。
【図３】図５に示す医療用トレイの嵌合構造における医療用トレイを示す斜視図である。
【図４】図３に示す医療用トレイを示す平面図である。
【図５】本発明の実施形態に係る医療用トレイの嵌合構造を示す平面図である。
【図６】図５に示す医療用トレイの嵌合構造を示す側面図である。
【図７】図５に示す医療用トレイの嵌合構造の要部拡大正面図である。
【図８】図５に示す医療用トレイの嵌合構造の要部拡大平面図である。
【図９】図２に示す腹膜透析装置における軸部及び笠部の拡大正面図である。
【図１０】図３に示す医療用トレイの要部拡大平面図である。
【図１１】図１０に示す医療用トレイの断面図であり、（ａ）は、Ａ−Ａ線断面図を、（ｂ）は、Ｂ−Ｂ線断面図をそれぞれ示す。
【図１２】本発明の他の実施形態に係る嵌合構造を示す平面図である。
【図１３】本発明のさらに他の実施形態に係る嵌合構造を示す平面図である。
【図１４】本発明の他の実施形態に係る医療用トレイにおける係止部を示す断面図である。
【図１５】従来例に係る嵌合構造を示す正面図である。
【図１６】図１５に示す嵌合状態を示す平面図である。
【発明を実施するための形態】
【００２６】
図１乃至図１０を参照して、本発明の第一実施形態に係る嵌合構造を説明する。
この嵌合構造は、腹膜透析装置１００の支持台（第一部材）１１０に対して医療用トレイ（第二部材）１２０を嵌合させる構造に関するものである。
【００２７】
腹膜透析装置１００は、腎不全の患者に対して透析液の注入、及び老廃物を含んだ患者からの排液を排液バッグへ排出するための装置であり、例えば、患者が寝ている間に自動的に複数回透析液の交換を行うものである。
このような腹膜透析装置１００の上面には、図１及び図２に示すように、医療用トレイ１２０を受けるための、傾斜している支持台１１０が設けられている。
支持台１１０には、図１、図２、図７乃至図９に示すように、上下に延びる円柱状の軸部１１１，１１２と、軸部１１１，１１２の上部、ここでは上端に連結された笠部１１３，１１４が、左右に所定間隔をおいて並列的に２つ（２組）突設されている。
【００２８】
笠部１１３，１１４の径Ｄ４は、軸部１１１，１１２の径Ｄ３よりも大きく、また、笠部１１３，１１４の中心部１１３ｂ，１１４ｂは軸部１１１，１１２の中心軸と一致している。笠部１１３，１１４は、上側から下側に向けてテーパー状に拡径し上部が平担の円錐台形で、それぞれの笠部１１３，１１４の下端１１３ａ，１１４ａの外周端部である周面１１３ｃ，１１４ｃは曲面状となっている。
【００２９】
医療用トレイ１２０は、図５に示すように、透折液を患者に送る注液用のチューブ１３１と患者からの排液を排液バッグに送る排液用の複数のチューブ１３２（ここでは７つ）等から構成される医療用回路１３０を収納するものである。
なお、医療用トレイ１２０の材質は合成樹脂であり、軟質の肉薄のシートを用いて、真空成形又は圧空真空成形によって医療用トレイ１２０は形成される。
そして、この医療用トレイ１２０には、図３、図４及び図８に示すように、腹膜透析装置１００の支持台１１０に突設する軸部１１１，１１２に加えて笠部１１３，１１４を挿通可能な大孔１２１，１２２と、大孔１２１，１２２に連通し、軸部１１１，１１２の径Ｄ３より幅Ｗ２が広く、笠部１１３，１１４の径Ｄ４より幅Ｗ２が狭い小孔１２３，１２４が形成されている。
【００３０】
大孔１２１，１２２は、笠部１１３，１１４を挿通し易いように、左右に横長の略楕円形状であり、本実施形態では、特に医療用トレイ１２０の左右内側に向かって大きく開口している。すなわち、左側の大孔１２１は、右側が内側に向かって大きく開口し、右側の大孔１２２は、左側が内側に向かって大きく開口している。
小孔１２３，１２４は、横長の大孔１２１，１２２に対して縦長の長孔であり、腹膜透析装置１００の軸部１１１，１１２が小孔１２３，１２４の縁１２３ａ，１２４ａに当接可能なように、小孔１２３，１２４の縁１２３ａ，１２４ａは軸部１１１，１１２の径Ｄ３よりも大きな曲率半径となっている。
【００３１】
そして、小孔１２３を挟む左右両側には、略半球状で中空の係止部１２５がそれぞれ形成され、小孔１２４を挟む左右両側には、略半球状で中空の係止部１２６がそれぞれ形成されている。左側の小孔１２３の周縁の左右に形成した係止部１２５と右側の小孔１２４の周縁の左右に形成した係止部１２６とは同一形状である。
また、係止部１２５，１２６の頂点位置の高さＴ２は、図７及び図８に示すように、笠部１１３，１１４及び軸部が大孔１２１，１２２又は小孔１２３，１２４に挿通し、医療用トレイ１２０の底部と腹膜透析装置１００支持台１１０の上面が当接した状態において、笠部１１３，１１４の下端位置の高さＴ１よりも高くなるようにしている。
さらに、それら二つの係止部１２５，１２６の頂点間距離Ｗ３は、笠部１１３，１１４の直径Ｄ４よりも大きく、かつそれら二つの係止部１２５，１２６の小孔１２３，１２４側の端部間距離Ｗ４は、笠部１１３，１１４の直径Ｄ４よりも小さくするように、係止部１２５，１２６の大きさと医療用トレイ１２０に対する形成位置を設定している。
【００３２】
このように大孔１２１，１２２と小孔１２３，１２４が連通され、それら小孔１２３，１２４の左右に周縁に係止部１２５，１２６が形成されたものが、医療用トレイ１２０の左右に所定間隔をおいて２つ（２組）設けられている。なお、ここでいう所定間隔とは、２つの小孔１２３，１２４の中心間距離が、２つの笠部１１３，１１４の中心軸１１３ｂ，１１４ｂ間の距離と等しくなる間隔のことである。すなわち、支持台１１０に設けられた２組の笠部１１３，１１４及び軸部１１１，１１２の位置に対応して、大孔１２１，１２２及び小孔１２３，１２４が医療用トレイ１２０に形成されている。
【００３３】
なお、医療用トレイ１２０には、図５に示すように先端にコネクタ１３３，１３４を備えた複数のチューブ１３１，１３２を収納するため、図３及び図４に示すように、医療用トレイ１２０の平面視下方部分に、複数の固定溝１２７が設けられている。この固定溝１２７は、チューブ１３１，１３２の収納の際には固定溝１２７がチューブ１３１，１３２の外形に沿うように、若干アンダーカット形状となっているので、医療用トレイ１２０がチューブ１３１，１３２を保持する力が高い。
また、二つの小孔１２３，１２４に挟まれた領域に、医療用トレイ１２０の腹膜透析装置１００への嵌合や嵌合解除を患者等が掴んで行うことができるように、把持部１２８が突設されている。
【００３４】
次に、以上のように構成された第一部材たる腹膜透析装置１００の支持台１１０と、第二部材たる医療用トレイ１２０を嵌合する方法及びその嵌合を解除する方法について説明する。
腹膜透析装置１００と医療用トレイ１２０を嵌合させる際には、まず医療用トレイ１２０の大孔１２１，１２２に腹膜透析装置１００の笠部１１３，１１４を合わせるように、腹膜透析装置１００の支持台１１０に医療用トレイ１２０を上載して、それぞれの笠部１１３，１１４及び軸部１１１，１１２を、それぞれの大孔１２１，１２２に挿通する。
次に把持部１２８を持って、腹膜透析装置１００に対して医療用トレイ１２０を手前に所定の力を加えて引くことにより、図５、図６及び図８に示すように、笠部１１３，１１４の中心軸１１３ｂ，１１４ｂを、二つの係止部１２５，１２６の頂点間を結ぶ直線Ｌよりも小孔１２３，１２４（図５の紙面において上方）側にして、嵌合位置とする。
所定の力を加えて医療用トレイ１２０を手前（図５の紙面において下方）に引くと、医療用トレイ１２０に設けた係止部１２５，１２６が、支持台１１０側に突設した笠部１１３，１１４の周面１１３ｃ，１１４ｃに干渉した後、係止部１２５，１２６が笠部１１３，１１４に弾接しながら乗り越えて手前側に移動する。
【００３５】
この嵌合位置では、笠部１１３，１１４は係止部１２５，１２６を押圧することなく係止部１２５，１２６から離間した状態であり、軸部１１１，１１２は、小孔１２３，１２４の縁１２３ａ，１２４ａに当接している。
なお、本実施形態においては、笠部１１３，１１４が係止部１２５，１２６に接触するか否かという程度に離間させているが、例えば笠部１１３，１１４が係止部１２５，１２６から１ｃｍ以上離間するような構造としても問題はない。
【００３６】
一方、嵌合した状態を解除するには、把持部１２８を奥（図５の紙面において上方）側に所定の力を加えて押すことで、笠部１１３，１１４の中心軸１１３ｂ，１１４ｂを、二つの係止部１２５，１２６の頂点間を結ぶ直線Ｌよりも大孔１２１，１２２側に移動させる。このとき、医療用トレイ１２０に設けた係止部１２５，１２６が、支持台１１０側に突設した笠部１１３，１１４の周面１１３ｃ，１１４ｃに干渉した後、係止部１２５，１２６が笠部１１３，１１４に弾接しながら乗り越えて奥側に移動する。
【００３７】
以上のような腹膜透析装置１００に対する医療用トレイ１２０の嵌合構造によれば、医療用トレイ１２０に形成された小孔１２３，１２４を挟む医療用トレイ１２０の左右両側に、笠部１１３，１１４の下端１１３ａ，１１４ａ位置よりも頂点１２５ａ，１２６ａ位置の高い略半球状の係止部１２５，１２６をそれぞれ形成し、腹膜透析装置１００の支持台１１０に対して医療用トレイ１２０を移動させるときには、係止部１２５，１２６が笠部１１３，１１４の周面１１３ｃ，１１４ｃと必ず干渉するようにし、医療用トレイ１２０に所定の力を加えることで、係止部１２５，１２６が笠部１１３，１１４に弾接しながら乗り越えて、嵌合位置から解除位置あるいは解除位置から嵌合位置に移動するように構成したので、腹膜透析装置１００の支持台１１０と医療用トレイ１２０を容易に嵌合させることができるのに加え、一旦嵌合状態となると、所定の力が第一部材又は第二部材に加わらない限り、不意に解除位置となってしまうことがない。
【００３８】
このように、嵌合状態を強く保持することができるので、医療用トレイ１２０に人の手が頻繁に触れるような場合であっても医療用トレイ１２０が腹膜透析装置１００から容易に落下してしまうこともない。
また、患者等が医療用トレイ１２０を手で支えずに医療用トレイ１２０から医療用回路１３０を外す場合に、医療用回路１３０とともに医療用トレイ１２０が引っ張られたとしても、係止部１２５，１２６と笠部１１３，１１４との干渉により腹膜透析装置１００と医療用トレイ１２０との嵌合状態が強く保持されているので、医療用トレイ１２０が腹膜透析装置１００から外れることを防止することができる。
それに加え、腹膜透析装置１００に医療用トレイ１２０を固定できるので、患者が医療用トレイ１２０を把持することなく、両手で医療用トレイ１２０に収納されたチューブ１３１，１３２の接続操作を行うことができる。
一方、所定の力を加えれば笠部１１３，１１４は係止部１２５，１２６を乗り越えるので、容易に嵌合を解除することができる。
【００３９】
また、嵌合位置では、笠部１１３，１１４は係止部１２５，１２６を押圧することなく係止部１２５，１２６から離間した状態であるので、解除位置から嵌合位置に移動させるときに、クリック感が生じる。したがって、患者等は、通常の視覚的のみならず、触覚的にも嵌合位置となったことを確認することができる。
【００４０】
さらに、大孔１２１，１２２に対して笠部１１３，１１４を挿通する際には、笠部１１３，１１４は上側から下側に向けてテーパー状に拡径しているので、大孔１２１，１２２と笠部の中心軸１１４ｂの位置が若干ずれていても、挿通し易い。つまり、笠部１１３，１１４がテーパー状に拡径し、笠部１１３，１１４に対して大孔１２１，１２２を適正な位置に案内するので、大孔１２１，１２２に笠部１１３，１１４を挿通し易い。
【００４１】
また、嵌合時、及び嵌合解除時ともに、医療用トレイ１２０に形成された係止部１２５，１２６に弾接する、支持台１１０に突設された笠部１１３，１１４の周面１１３ｃ，１１４ｃは曲面状であるので、笠部１１３，１１４と係止部１２５，１２６の曲面同士が弾接する。すなわち、笠部１１３，１１４が係止部１２５，１２６に接触して係止部１２５，１２６を乗り越えようとする際に、係止部１２５，１２６に引っ掛かる鋭利な部位が笠部１１３，１１４には存在しないので、円滑に嵌合位置から解除位置あるいは解除位置から嵌合位置に移動することができる。
加えて、係止部１２５，１２６は中空であるので、係止部１２５，１２６が笠部１１３，１１４に弾接した際に係止部１２５，１２６が凹む。これにより、笠部１１３，１１４が係止部１２５，１２６を乗り越える際に力が加わっても笠部１１３，１１４及び係止部１２５，１２６は破損しないので、腹膜透析装置１００の支持台１１０に対する医療用トレイ１２０の移動を繰り返して行うことが可能である。
【００４２】
なお、本実施形態では、笠部１１３，１１４の周面１１３ｃ，１１４ｃは曲面状としたが、嵌合位置から解除位置及び解除位置から嵌合位置への移動が円滑に行えれば、これに限られるものではない。
【００４３】
また、笠部１１３，１１４は上側から下側に向けてテーパー状に拡径しているとしたが、これに限られるものではない。
【００４４】
また、大孔１２１，１２２と小孔１２３，１２４が連通され係止部１２５，１２６が形成されたものが設けられた第二部材として、医療用トレイ１２０を例示したが、これに限られるものではなく、他の分野のトレイでもよいし、トレイでなくてもよい。
同様に、軸部１１１，１１２と軸部１１１，１１２に連結された笠部１１３，１１４が設けられた第一部材として、腹膜透析装置１００の支持台１１０を例示したが、これに限られるものではなく、別の装置の支持台１１０でもよいし、全く別の分野の物品であってもよい。
【００４５】
また、大孔１２１，１２２と小孔１２３，１２４が連通され係止部１２５，１２６が形成されたものを第二部材１２０に２つ設けるようにしたが、その数は限定されるものではない。
同様に、第一部材１１０の軸部１１１，１１２と、軸部１１１，１１２に連結された笠部１１３，１１４の数も、特に限定されるものではない。
【００４６】
また、嵌合位置では、笠部１１３，１１４は係止部１２５，１２６を押圧することなく係止部１２５，１２６から離間した状態であるとしたが、笠部１１３，１１４が係止部１２５，１２６を押圧した状態にする構造にしてもよい。この場合には、嵌合位置において第一部材１１０と第二部材１２０は弾接した状態で保持されるので、両者間でがたつきは生ずることがなく一層強く嵌合状態を保持できる。
【００４７】
また、図１２に示すように、大孔１２１，１２２を左右対称の略楕円状としてもよいし、図１３に示すように、円状としてもよい。つまり、笠部１１３，１１４及び軸部１１１，１１２が大孔１２１，１２２へ円滑に挿通できるならば、大孔１２１，１２２の形状は特に限定されるものではない。
また、医療用トレイ１２０は軟質な材料からなるとしたが、これに限られるものではなく、笠部１１３，１１４及び軸部１１１，１１２を軟質として嵌合させることができる。
【００４８】
また、笠部１１３，１１４の下端の高さＴ１よりも、係止部１２５，１２６の頂点の高さＴ２が若干高くなるように形成すれば、笠部１１３，１１４及び係止部１２５，１２６の双方が硬質であっても、嵌合させることができる。
また、笠部１１３，１１４は半球状に限らず、例えば略球状としてもよく、軸部１１１，１１２の径Ｄ３よりも笠部１１３，１１４の径Ｄ４の方が大きいものであればよい。
【００４９】
さらに係止部１２５，１２６を中空状にしたが、これに限られるものではなく、係止部１２５，１２６が軟質材からなる場合には、図１４に示すように中実であってもよい。
また、医療用トレイ１２０として薄肉のものを使用したが、これに限られるものではなく、図１４に示すように、係止部１２５，１２６の高さと同程度の厚肉のものを使用することもできる。
【００５０】
また、医療用トレイ１２０は注液用及び排液用のチューブ１３１，１３２から構成される医療用回路１３０を収納するとしたが、これに限られるものではなく、その他の用途のチューブもともに収納するものであってもよいし、他の部品を収納するものであってもよい。
【符号の説明】
【００５１】
１０    壁
１１    軸部
１１ａ  上部
１２    笠部
１２ａ  下端位置
２０    壁掛機器
２１    大孔
２２    小孔
２２ａ  縁
１００    腹膜透析装置
１１０    支持台（第一部材）
１１１    軸部
１１２    軸部
１１３    笠部
１１３ａ  下端
１１３ｂ  中心軸
１１３ｃ  周面
１１４    笠部
１１４ａ  下端
１１４ｂ  中心軸
１１４ｃ  周面
１２０    医療用トレイ（第二部材）
１２１    大孔
１２２    大孔
１２３    小孔
１２３ａ  縁
１２４    小孔
１２４ａ  縁
１２５    係止部
１２５ａ  頂点
１２６    係止部
１２６ａ  頂点
１２７    固定溝
１２８    把持部
１３０    医療用回路
１３１    チューブ
１３２    チューブ
１３３    コネクタ
１３４    コネクタ
Ｄ１    軸部の径
Ｄ２    笠部の径
Ｄ３    軸部の径
Ｄ４    笠部の径
Ｌ      係止部の頂点間を結ぶ直線
Ｔ１    笠部の下端位置の高さ
Ｔ２    係止部の頂点位置の高さ
Ｗ１    小孔の幅
Ｗ２    小孔の幅
Ｗ３    係止部の頂点間距離
Ｗ４    係止部の小孔側の端部間距離
【図１】
2010207275.tif 000003
【図２】
2010207275.tif 000004
【図３】
2010207275.tif 000005
【図４】
2010207275.tif 000006
【図５】
2010207275.tif 000007
【図６】
2010207275.tif 000008
【図７】
2010207275.tif 000009
【図８】
2010207275.tif 000010
【図９】
2010207275.tif 000011
【図１０】
2010207275.tif 000012
【図１１】
2010207275.tif 000013
【図１２】
2010207275.tif 000014
【図１３】
2010207275.tif 000015
【図１４】
2010207275.tif 000016
【図１５】
2010207275.tif 000017
【図１６】
2010207275.tif 000018